(57)【要約】【課題】ハイライト領域の階調再現性を改善しつつ、ドットデータ作成処理時に必要とされるメモリの容量を削減できる技術を提供する。【解決手段】閾値マトリクス１３０として、閾値が小さいほど出現頻度が少なくなるヒストグラム特性Ｇ１を有する閾値マトリクスを予め準備する。そして、与えられた入力画素値Ｄｉｎと、閾値マトリクス１３０内から選択された閾値Ｔｉとを比較することによってドットデータＤｏｕｔを生成する。【選択図】  図３
2004289252.tif 000002
【特許請求の範囲】
【請求項１】
入力画素値を閾値と比較することによって、出力画素毎のドット形成状態を示すドットデータを生成する方法であって、
（ａ）複数の出力画素位置に割り当てられた閾値を含む閾値マトリクスとして、前記閾値の最小値よりも大きく最大値よりも小さい閾値の中の少なくとも一部の複数の閾値に関して閾値が小さいほど出現頻度が少なくなるように構成された閾値マトリクスを予め準備する工程と、
（ｂ）与えられた入力画素値と、前記閾値マトリクス内から選択された閾値とを比較することによって前記ドットデータを生成する工程と、
を備える方法。
【請求項２】
請求項１記載の方法であって、
前記入力画素値は、１色成分あたり８ビット構成されており、
前記閾値マトリクス内の各閾値も１色成分あたり８ビットで構成されている、方法。
【請求項３】
請求項１または２記載の方法であって、
前記工程（ａ）は、前記閾値マトリクスとして、前記出力画素の解像度と、前記ドットデータを用いた印刷に使用される印刷媒体の種類と、の組み合わせに応じて複数種類の閾値マトリクスを準備する工程を含んでおり、
前記工程（ｂ）は、実際の印刷に使用される前記出力画素の解像度と前記印刷媒体の種類との組み合わせに応じて前記複数種類の閾値マトリクスの中から１つの閾値マトリクスを選択する工程を含む、方法。
【請求項４】
請求項１ないし３のいずれかに記載の方法であって、さらに、
前記工程（ｂ）は、前記比較を実行する前に、前記与えられた入力画素値を、前記閾値マトリクス内における閾値の出現頻度のヒストグラム特性と逆の特性を有する階調変換特性を用いて階調変換する工程を含む、方法。
【請求項５】
入力画素値を閾値と比較することによって、出力画素毎のドット形成状態を示すドットデータを生成するドットデータ生成装置であって、
複数の出力画素位置に割り当てられた閾値を含む閾値マトリクスとして、前記閾値の最小値よりも大きく最大値よりも小さい閾値の中の少なくとも一部の複数の閾値に関して閾値が小さいほど出現頻度が少なくなるように構成された閾値マトリクスを記憶するメモリと、
与えられた入力画素値と、前記閾値マトリクス内から選択された閾値とを比較することによって前記ドットデータを生成する比較部と、
を備えるドットデータ生成装置。
【請求項６】
入力画素値を閾値と比較することによって、出力画素毎のドット形成状態を示すドットデータを生成するためのコンピュータプログラムであって、
複数の出力画素位置に割り当てられた閾値を含む閾値マトリクスとして、前記閾値の最小値よりも大きく最大値よりも小さい閾値の中の少なくとも一部の複数の閾値に関して閾値が小さいほど出現頻度が少なくなるように構成された閾値マトリクスを記憶するメモリから閾値を選択する機能と、
与えられた入力画素値と、前記閾値マトリクス内から選択された閾値とを比較することによって前記ドットデータを生成する機能と、
をコンピュータに実現させるコンピュータプログラム。
【発明の詳細な説明】
【０００１】
【発明の属する技術分野】
本発明は、印刷に用いるドットデータを生成する技術に関する。
【０００２】
【従来の技術】
印刷を行う際には、インクドットを用いて原画の階調を再現するために、ハーフトーン処理を含むドットデータ生成処理が実行される。ハーフトーン処理としては、網点処理やディザ処理などのように、閾値マトリクス（閾値パターンとも呼ぶ）を予め準備しておき、閾値マトリクス内の閾値と入力画素値とを用いてドットデータを生成する処理がある。
【０００３】
ところで、一般に、印刷物内のハイライト領域（明るい領域）は肉眼で階調を識別しやすく、一方、シャドー領域（暗い領域）は階調を識別しにくい傾向がある。そこで、シャドー領域よりもハイライト領域において階調再現性を高めることが好ましい場合が多い。
【０００４】
図８は、従来のドットデータ生成処理の手順の一例を示す説明図である。ここでは、入力画素値としてＲＧＢの３つの成分を有する画像データ（「ＲＧＢデータ」とも呼ぶ）から、ＣＭＹＫの４つのインク成分に関する２値のドットデータ（「出力画素値」とも呼ぶ）を生成する処理の例を示している。ＲＧＢデータの各色成分は、それぞれ８ビットデータである。ＲＧＢデータは、まず、ルックアップテーブル３１０によってＣＭＹＫデータに変換される。このＣＭＹＫデータの各インク成分も、それぞれ８ビットデータである。
【０００５】
次に、階調変換部３２０によって、ビット数増加と階調変換（トーンカーブ補正）とが実現される。この階調変換特性（トーンカーブ）は、図８の左側に示されているように、下に凸の特性に設定されている。このトーンカーブを用いると、入力値が小さいとき（ハイライト領域に相当する）には、入力値の増加に応じて出力値がゆっくりと増加する。従って、ハイライト領域を再現するための階調数が多くなっており、ハイライト領域において階調再現性が高くなっている。また、階調変換部３２０の出力値のビット数（１６ビット）は、入力値のビット数（８ビット）の２倍に設定されている。このビット数増加の理由は、ハイライト領域以外の濃度範囲における階調再現性が過度に低減してしまうことを防止するためである。
【０００６】
階調変換後のＣＭＹＫデータの各インク色成分のデータは、閾値マトリクス３４０から選択された１６ビットの閾値と比較部３３０で比較される。この比較の結果、各インク色の１ビットのドットデータが生成される。
【０００７】
【発明が解決しようとする課題】
図８のドットデータ生成処理では、閾値マトリクス３４０に要するメモリ量は、（Ｎｘ×Ｎｙ×２）バイトである。ここで、Ｎｘは閾値マトリクスのｘ方向の画素数であり、Ｎｙはｙ方向の画素数である。例えば、Ｎｘ＝Ｎｙ＝２５６の場合には、閾値マトリクス３４０に要するメモリ量は１３１０７２バイトに達する。また、階調変換後のＣＭＹＫデータは１６ビットデータなので、このデータを一時的に格納しておくためのバッファメモリもかなり大量に必要になる。このため、従来から、ハイライト領域の階調再現性を改善しつつ、ドットデータ作成処理時に必要とされるメモリの容量を削減したいという要望があった。
【０００８】
本発明は、上記の課題を解決するためになされたものであり、ハイライト領域の階調再現性を改善しつつ、ドットデータ作成処理時に必要とされるメモリの容量を削減できる技術を提供することを目的とする。
【０００９】
【課題を解決するための手段およびその作用・効果】
上述の課題の少なくとも一部を解決するため、本発明の方法は、入力画素値を閾値と比較することによって、出力画素毎のドット形成状態を示すドットデータを生成する方法であって、
（ａ）複数の出力画素位置に割り当てられた閾値を含む閾値マトリクスとして、前記閾値の最小値よりも大きく最大値よりも小さい閾値の中の少なくとも一部の複数の閾値に関して閾値が小さいほど出現頻度が少なくなるように構成された閾値マトリクスを予め準備する工程と、
（ｂ）与えられた入力画素値と、前記閾値マトリクス内から選択された閾値とを比較することによって前記ドットデータを生成する工程と、
を備える。
【００１０】
この方法によれば、閾値が小さいほど出現頻度が少なくなるように閾値マトリクスが構成されているので、ハイライト領域では、入力画素値の増加に応じてドット形成率が比較的緩やかに増加する。従って、ハイライト領域の階調再現性を改善しつつ、ドットデータ作成処理時に必要とされるメモリの容量を削減できる。
【００１１】
なお、前記入力画素値は、１色成分あたり８ビット構成されており、
前記閾値マトリクス内の各閾値も１色成分あたり８ビットで構成されているものとしてもよい。
【００１２】
通常の入力画素値は１色成分あたり８ビットなので、上記構成によれば、入力画素値のビット数増加を行う必要がなく、必要とされるメモリ容量を削減することができる。
【００１３】
前記工程（ａ）は、前記閾値マトリクスとして、前記出力画素の解像度と、前記ドットデータを用いた印刷に使用される印刷媒体の種類と、の組み合わせに応じて複数種類の閾値マトリクスを準備する工程を含んでおり、
前記工程（ｂ）は、実際の印刷に使用される前記出力画素の解像度と前記印刷媒体の種類との組み合わせに応じて前記複数種類の閾値マトリクスの中から１つの閾値マトリクスを選択する工程を含むものとしてもよい。
【００１４】
階調再現性は、出力画素の解像度と印刷媒体とに大きな影響を受けるので、これらの組み合わせに応じて閾値マトリクスを選択するようにすれば、階調再現性をより向上させることが可能である。
【００１５】
前記工程（ｂ）は、前記比較を実行する前に、前記与えられた入力画素値を、前記閾値マトリクス内における閾値の出現頻度のヒストグラム特性と逆の特性を有する階調変換特性を用いて階調変換する工程を含むものとしてもよい。
【００１６】
この構成では、与えられた入力画素値で表された色をより忠実に再現することができる。
【００１７】
本発明は、上述のドットデータ作成方法の他に種々の態様で実現可能であり、例えば、ドットデータ生成方法および装置、これを用いた印刷方法および印刷装置、印刷制御方法および印刷制御装置、印刷装置とコンピュータとを備えた印刷システム、これらの方法または装置を実現するコンピュータプログラム、および、そのプログラムを記録した記録媒体など種々の態様で実現することが可能である。
【００１８】
【発明の実施の形態】
以下、本発明の実施の形態について、実施例に基づき以下の順序で説明する。
Ａ．第１実施例：
Ｂ．第２実施例：
Ｃ．変形例：
【００１９】
Ａ．第１実施例：
図１は、本発明の実施例としての印刷システムの構成を示すブロック図である。この印刷システムは、コンピュータ１００とプリンタ２００とが相互に接続された構成を有している。コンピュータ１００にはプリンタドライバ１１０がインストールされている。プリンタドライバ１１０は、色変換部１１２と、ハーフトーン処理部１１４と、出力処理部１１６とを備えている。プリンタドライバ１１０で生成された印刷データＰＤは、出力処理部１１６からプリンタ２００に供給される。印刷データＰＤは、印刷解像度を有する主走査ライン上の各画素についてインクドットの記録状態を指定するドットデータと、副走査送り量を特定する副走査送り量データとを含んでいる。なお、プリンタドライバ１１０は、印刷用のドットデータを生成する機能を実現するためのコンピュータプログラムに相当する。
【００２０】
プリンタドライバ１１０の機能を実現するためのプログラムは、コンピュータ読み取り可能な記録媒体に記録された形態で供給し得る。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物等のコンピュータが読み取り可能な種々の媒体を利用できる。
【００２１】
図２は、プリンタドライバ１１０が受け取るカラー画像データの解像度Ｒｄａｔａと、印刷データ（ドットデータ）の解像度Ｒｐｒｉｎｔとの関係を示す説明図である。本実施例では、カラー画像データの解像度Ｒｄａｔａ（「画像データ解像度」と呼ぶ）は３６０ｄｐｉであり、印刷データＰＤの解像度Ｒｐｒｉｎｔ（「印刷解像度」と呼ぶ）は７２０ｄｐｉであるものとしている。換言すれば、カラー画像データの１画素ＤＰＸのピッチは１／３６０インチであり、印刷画素ＰＰＸ（「出力画素」とも呼ぶ）のピッチは１／７２０インチである。印刷解像度Ｒｐｒｉｎｔは、画像データ解像度Ｒｄａｔａよりも細かい値に設定されることが多い。なお、図２の例では主走査方向の印刷解像度と副走査方向の印刷解像度が同一であるとしているが、これらを異なる値に設定することも可能である。
【００２２】
図３は、第１実施例における色変換部１１２とハーフトーン処理部１１４の構成を示すブロック図である。色変換部１１２は、ルックアップテーブル１２０を有している。ルックアップテーブル１２０は、カラー画像データＤｏｒｇ（ＲＧＢデータ）をＣＭＹＫデータＤｉｎに変換する色空間変換を実行する。ＲＧＢデータＤｏｒｇの３つの色成分とＣＭＹＫデータＤｉｎの４つの色成分は、それぞれ８ビットデータである。ハーフトーン処理部１１４は、閾値マトリクス１３０と、比較部１３２とを有しており、ＣＭＹＫデータＤｉｎを閾値Ｔｉと比較することによって、ＣＭＹＫの各色成分毎に２値のドットデータＤｏｕｔを生成する。
【００２３】
図４は、ハーフトーン処理の方法を示している。ここでは、印刷時の１本の主走査ラインＬ１上の複数の出力画素を処理対象としている。ハーフトーン処理では、まず、対象となる主走査ラインＬ１に対応する入力画素値Ｄｉｎ（ＣＭＹＫデータ）のラインＤＬ１が選択される。そして、選択されたラインＤＬ１の画素Ｐ１，Ｐ２，Ｐ３…の入力画素値Ｄｉｎと、閾値マトリクス１３０の閾値Ｔｉとが比較される。ドットデータＤｏｕｔの値は、その比較結果に応じて次のように決定される。
【００２４】
（１）Ｔｉ＜Ｄｉｎのとき、Ｄｏｕｔ＝１（ドットオン）
（２）Ｄｉｎ≦Ｔｉのとき、Ｄｏｕｔ＝０（ドットオフ）
【００２５】
すなわち、ドットデータＤｏｕｔ（出力画素値）は、ハーフトーン処理部１１４への入力画素値Ｄｉｎが閾値Ｔｉよりも大きいときにはインクドットがオンであることを示す値になり、入力画素値Ｄｉｎが閾値Ｔｉ以下のときにはインクドットがオフであることを示す値になる。
【００２６】
なお、図４に示したハーフトーン処理の前に、入力画素値Ｄｉｎの解像度を出力画素の解像度に一致させる解像度変換（画素水増し）を実行するようにしても良い。
【００２７】
図３に示されているように、閾値マトリクス１３０内の閾値は、閾値が小さいほど出現頻度が小さく、閾値が大きいほど出現頻度が大きくなるような出現頻度特性Ｇ１（「ヒストグラム特性」とも呼ぶ）を有している。図５は、閾値マトリクス１３０の閾値配列の概念図である。本実施例では、入力画素値Ｄｉｎが８ビットであり、０〜２５５の範囲の値を取り得る。そこで、閾値マトリクス１３０内の閾値Ｔｉとしては、０〜２５４の値が採用されている。閾値Ｔｉとして２５５を採用しない理由は、入力画素値Ｄｉｎが最大値（＝２５５）に等しいときに、閾値マトリクス１３０内の全画素のドットがオン状態になるようにするためである。但し、閾値Ｔｉの最大値として２５５を採用してもよい。
【００２８】
図５の閾値マトリクス１３０は、Ｎｘ×Ｎｙ画素の大きさを有している。閾値マトリクス１３０内の１画素は、図２（Ｂ）で説明した出力画素ＰＰＸである。図４の例では、Ｎｘ＝Ｎｙ＝２５６であるが、Ｎｘ，Ｎｙとしては任意の自然数を設定することが可能であり、また、互いに異なる値に設定してもよい。閾値Ｔｉの全範囲０〜２５４は、２５５個の値を含んでいるのに対して、閾値マトリクス１３０はその約２５６倍の出力画素を有している。従って、図５の例では、０〜２５４の範囲の各閾値Ｔｉは、閾値マトリクス１３０内において、それぞれ複数回ずつ出現している。出現頻度の平均値は、約２５６回である。
【００２９】
図６（Ａ），（Ｂ）は、閾値マトリクス１３０内の閾値の出現頻度分布（ヒストグラム）の例を示している。図６（Ａ）の例では、全閾値に関して、閾値Ｔｉが小さいほど出現頻度Ｆｉが小さく、閾値Ｔｉが大きいほど出現頻度Ｆｉが大きい傾向にある。また、隣接する２つの閾値Ｔｉ，Ｔｉ＋１の出現頻度Ｆｉ，Ｆｉ＋１を比較すると、常により大きな閾値Ｔｉ＋１の出現頻度Ｆｉ＋１の方が、より小さな閾値Ｔｉの出現頻度Ｆｉよりも大きい。
【００３０】
このヒストグラムは、入力画素値Ｄｉｎの値の変化に応じたドット形成個数の変化に対応している。前述したように、上記（１），（２）式に従うとき、ある入力画素値Ｄｉｎが与えられたときの閾値マトリクス１３０内でのドット形成個数は、入力画素値Ｄｉｎよりも小さい閾値Ｔｉの出現頻度Ｆｉの合計値ΣＦｉに等しくなる。例えば、入力画素値Ｄｉｎが１のときには、ドット形成個数は、これより小さい閾値Ｔｉ（＝０）の出現頻度Ｆｉに等しい。また、入力画素値Ｄｉｎが２のときには、ドット形成個数は、これより小さい閾値Ｔｉ（＝０，１）の出現頻度Ｆｉの和に等しい。
【００３１】
ところで、本実施例では、入力画素値Ｄｉｎは各インク成分の階調値（もしくはドット記録率）を表している。従って、ハイライト領域では入力画素値Ｄｉｎの値は０に近い比較的小さな値になり、シャドー領域では入力画素値Ｄｉｎの値は２５５に近い比較的大きな値になる。図６（Ａ）のヒストグラム特性によれば、ハイライト領域では、入力画素値Ｄｉｎの値が増加したときに、ドット形成個数は比較的に緩やかに増加する。一方、シャドー領域では、入力画素値Ｄｉｎの値が増加したときに、ドット形成個数は比較的急速に増加する。
【００３２】
上記の説明から理解できるように、図６（Ａ）のヒストグラム特性を有する閾値マトリクス１３０を利用してドットデータＤｏｕｔを生成すれば、ハイライト領域においては入力画素値Ｄｉｎの増加に応じたドット形成個数の増加が比較的緩やかである。これは、ハイライト領域における階調数が多く、階調再現性が改善されていることを意味している。
【００３３】
図５の閾値マトリクス１３０に要するメモリ量は、（Ｎｘ×Ｎｙ×１）バイトである。例えば、Ｎｘ＝Ｎｙ＝２５６の場合には、閾値マトリクス１３０に要するメモリ量は６５５３６バイトであり、図８で説明した従来の閾値マトリクス３４０のメモリ量（１３１０７２バイト）の１／２で済む。また、本実施例では入力画素値Ｄｉｎのビット数増加を行う必要が無いので、比較部１３２への入力画素値Ｄｉｎを一時的に格納するためのバッファメモリ（図示省略）の容量も、本実施例では図８に示した従来技術の１／２で済む。このように、図６（Ａ）に示したようなヒストグラム特性を有する閾値マトリクス１３０を使用すれば、ハイライト領域における階調再現性を改善しつつ、ドットデータ作成処理時に必要とされるメモリの容量を削減することが可能である。
【００３４】
図６（Ｂ）は、本実施例に適用可能なヒストグラム特性の他の例を示している。このヒストグラム特性では、閾値の最大値Ｔｍａｘ（＝２５４）と、それに隣接する閾値Ｔｍａｘ−１（＝２５３）とが同じ出現頻度を有している。このようなヒストグラム特性によっても、図６（Ａ）のヒストグラム特性と同様に、ハイライト領域における階調再現性を高くすることができる。これらの例から理解できるように、閾値マトリクス１３０内の閾値Ｔｉのヒストグラム特性は、シャドウ領域の階調再現性に関連する複数の閾値同士が、互いに同じ出現頻度を有していてもよい。同様に、ハイライト領域の階調再現性に関連する複数の閾値同士も互いに同じ出現頻度を有していてもよい。但し、これらの場合にも、閾値の最小値よりも大きく最大値よりも小さい閾値の中の少なくとも一部の複数の閾値に関しては、閾値が小さいほど出現頻度が少なく、閾値が大きいほど出現頻度が多くなるように閾値の配置が決定されていることが好ましい。
【００３５】
Ｂ．第２実施例：
図７は、第２実施例における色変換部１１２ａとハーフトーン処理部１１４の構成を示すブロック図である。図３に示した第１実施例との違いは、色変換部１１２ａに階調変換部１２２が追加されている点だけであり、他の構成は第１実施例と同じである。
【００３６】
階調変換部１２２は、ルックアップテーブル１２０で変換して得られたＣＭＹＫデータの階調変換を実行する。この階調変換で使用するトーンカーブＧ２は、閾値マトリクス１３０のヒストグラム特性Ｇ１とは逆の特性を有している。具体的に言えば、これらの２つの特性Ｇ１，Ｇ２を乗じた特性Ｇ１・Ｇ２が、無変換の入出力特性（原点を通り、入力と出力とが等しい特性）を示すように、トーンカーブＧ２が決定されている。このようなトーンカーブＧ２を用いた階調変換を行えば、ルックアップテーブル１２０による色空間変換で得られたＣＭＹＫデータの階調に応じた適切な個数のドットを形成することができる。換言すれば、元の入力画素値Ｄｏｒｇで表されている色をより忠実に再現することができる。
【００３７】
なお、トーンカーブＧ２の特性は、ヒストグラム特性Ｇ１と完全な逆特性を有している必要は無く、逆向きの特性（図７の例では上に凸）を有していれば良い。
【００３８】
また、階調変換部１２２は、色空間変換用のルックアップテーブル１２０と別個に設ける代わりに、色空間変換用のルックアップテーブル１２０と階調変換部１２２の機能を１つにまとめたルックアップテーブルを予め作成し、印刷時に使用することが好ましい。この場合には、その１つのルックアップテーブルが色空間変換部および階調変換部として機能することになる。こうすれば、階調変換によってハイライト領域の階調数が減少してしまうことを防止できる。すなわち、図７のように階調変換部１２２で入力８ビットを出力８ビットに変換した場合には、比較的小さな出力値のいくつかは実際には利用されず、とびとびの出力値だけが利用される。この結果、出力値であるＣＭＹＫデータは、ハイライト領域においてはとびとびの階調値を有することになるので、実質的な階調数が減少してしまう結果になる。これに対して、１つのルックアップテーブルで色空間変換と階調変換とを１回で実行するようにすれば、ハイライト領域において利用されない階調値を少なく抑えることができる。この結果、ハイライト領域の階調数が減少してしまうことを防止できる。
【００３９】
Ｃ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例も可能である。
【００４０】
Ｃ１．変形例１：
上記実施例では、ハーフトーン処理によって２値の出力画素値を生成するものとしたが、本発明は１つまたは複数の閾値マトリクスを用いて多値の出力画素値を生成する場合にも適用可能である。すなわち、本発明は、入力画素値を閾値と比較することによって、出力画素毎のドット形成状態を示すドットデータを生成する場合に適用可能である。
【図面の簡単な説明】
【図１】本発明の実施例としての印刷システムの構成を示すブロック図。
【図２】画像データ解像度Ｒｄａｔａと印刷解像度Ｒｐｒｉｎｔとの関係を示す説明図。
【図３】第１実施例における色変換部１１２とハーフトーン処理部１１４の構成を示すブロック図。
【図４】ハーフトーン処理の方法を示す説明図。
【図５】閾値マトリクス１３０の閾値配列の概念図。
【図６】閾値マトリクス１３０内の閾値の出現頻度分布（ヒストグラム）の例を示す説明図。
【図７】第２実施例における色変換部１１２とハーフトーン処理部１１４の構成を示すブロック図。
【図８】従来のドットデータ生成処理の内容を示す説明図。
【符号の説明】
１００…コンピュータ
１１０…プリンタドライバ
１１２…色変換部
１１４…ハーフトーン処理部
１１６…出力処理部
１２０…ルックアップテーブル
１２２…階調変換部
１３０…閾値マトリクス
１３２…比較部
２００…プリンタ
３１０…ルックアップテーブル
３２０…階調変換部
３３０…比較部
３４０…マトリクス
【図１】
2004289252.tif 000003
【図２】
2004289252.tif 000004
【図３】
2004289252.tif 000005
【図４】
2004289252.tif 000006
【図５】
2004289252.tif 000007
【図６】
2004289252.tif 000008
【図７】
2004289252.tif 000009
【図８】
2004289252.tif 000010